(57)【特許請求の範囲】
【請求項１】
顕微鏡観察用培養装置の収容ユニットに細胞等の観察対象物を入れる容器を収容するのに使用する容器用アタッチメントにおいて、
前記収容ユニットの下側開口部に嵌め込まれ、透光部が形成されたベース部と、前記ベース部に収められ、前記ベース部の上面から露出しかつ前記上面から僅かに低い位置に備えられた一対のマグネットと、
前記ベース部に設置される前記容器の上部に載置され、透光部が形成された押え部と、前記押え部と一体に成形されて設けられ、前記押え部の側方へ突出し、かつその突出基部を支点として弾性変形可能になった一対のアーム部と、前記アーム部の先端部にそれぞれ収められ、前記アーム部の底面から露出しかつ前記底面から僅かに高い位置に備えられた一対のマグネットを具備し、
前記押え部を前記容器の上部に載置した状態で、前記アーム部を湾曲させて、前記アーム部に収められたマグネットが前記ベース部に収められたマグネットに対向して吸着することで、前記アーム部の弾性力によって前記押え部が前記容器を押えて前記ベース部に固定することを特徴とする顕微鏡観察用培養装置の容器用アタッチメント。
【請求項２】
請求項１に記載した顕微鏡観察用培養装置の容器用アタッチメントにおいて、
押え部とアーム部は合成樹脂によって一体に成形されていることを特徴とする顕微鏡観察用培養装置の容器用アタッチメント。
【請求項３】
請求項１または２に記載した顕微鏡観察用培養装置の容器用アタッチメントにおいて、
押え部は、容器の観察対象物を収容する部分に対応する部位が透明材料によって構成されていることを特徴とする顕微鏡観察用培養装置の容器用アタッチメント。
【請求項４】
請求項１または２に記載した顕微鏡観察用培養装置の容器用アタッチメントにおいて、
押え部は、容器の観察対象物を収容する部分に対応する部位に開口が形成されていることを特徴とする顕微鏡観察用培養装置の容器用アタッチメント。
【請求項５】
請求項１から４のいずれかに記載した顕微鏡観察用培養装置の容器用アタッチメントにおいて、
押え部の下面側には容器の上端部に嵌る形状の凹部が形成されていることを特徴とする顕微鏡観察用培養装置の容器用アタッチメント。
【請求項６】
請求項１から５のいずれかに記載した顕微鏡観察用培養装置の容器用アタッチメントにおいて、
押え部が平面視ほぼ真円形に形成され、アーム部が前記押え部の外周に沿って円弧状に湾曲していることを特徴とする顕微鏡観察用培養装置の容器用アタッチメント。
【請求項７】
請求項１から６のいずれかの顕微鏡観察用培養装置の容器用アタッチメントを備えたことを特徴とする顕微鏡観察用培養装置。
【発明の詳細な説明】
【技術分野】
【０００１】
本発明は、顕微鏡観察用培養装置の収容ユニットに細胞等の観察対象物を入れる容器を収容するのに使用する容器用アタッチメント、顕微鏡観察用培養装置の容器用アタッチメントを備えた顕微鏡観察用培養装置に関するものである。
【背景技術】
【０００２】
特許文献１に開示された顕微鏡観察用培養装置は、顕微鏡ステージに設置して使用するようになっており、収容ユニットとその上側開口を閉鎖する蓋体とで構成されている。収容ユニット内にはその内側縁側に沿って水槽部が設けられ、それより内方が細胞等の観察対象を入れる容器の収容部になっている。
この収容部に、容器であるディッシュを容器用アタッチメントに上側から嵌め込んで装着し、一対の押えバネを回動させ、ディッシュの蓋を押えることで、ディッシュを固定している。
また、ディッシュを収容部から外す際には、押えバネを回動させて、押えバネによるディッシュに対する固定を解除する。
【０００３】
しかしながら、上記のように押えバネを回動させて蓋を押える位置まで移動させたり、蓋から外れる位置まで移動させたりする作業は意外と面倒であるという問題がある。
また、蓋を押える押えバネが観察対象に対向する位置にきてしまうと、顕微鏡観察に支障が生じることになるため、押えバネの位置を微妙に調整しなければならないという不都合もある。
【先行技術文献】
【特許文献】
【０００４】
【特許文献１】特開２００８−２５９４３０号公報
【発明の概要】
【発明が解決しようとする課題】
【０００５】
本発明は上記した従来の問題点に鑑みて為されたものであり、容器を収容部に固定したり、固定を解除したりする作業を極めて簡単に行うことができ、しかも顕微鏡観察に支障をきたすのを防止するための調整作業を行う必要が全くない顕微鏡観察用培養装置の容器用アタッチメント、当該容器用アタッチメントを備えた顕微鏡観察用培養装置の提供を、その目的とする。
【課題を解決するための手段】
【０００６】
本発明は上記課題を解決するためになされたものであり、請求項１の発明は、顕微鏡観察用培養装置の収容ユニットに細胞等の観察対象物を入れる容器を収容するのに使用する容器用アタッチメントにおいて、前記収容ユニットの下側開口部に嵌め込まれ、透光部が形成されたベース部と、前記ベース部に収められ、前記ベース部の上面から露出しかつ前記上面から僅かに低い位置に備えられた一対のマグネットと、前記ベース部に設置される前記容器の上部に載置され、透光部が形成された押え部と、前記押え部と一体に成形されて設けられ、前記押え部の側方へ突出し、かつその突出基部を支点として弾性変形可能になった一対のアーム部と、前記アーム部の先端部にそれぞれ収められ、前記アーム部の底面から露出しかつ前記底面から僅かに高い位置に備えられた一対のマグネットを具備し、前記押え部を前記容器の上部に載置した状態で、前記アーム部を湾曲させて、前記アーム部に収められたマグネットが前記ベース部に収められたマグネットに対向して吸着することで、前記アーム部の弾性力によって前記押え部が前記容器を押えて前記ベース部に固定することを特徴とする顕微鏡観察用培養装置の容器用アタッチメントである。
【０００７】
請求項２の発明は、請求項１に記載した顕微鏡観察用培養装置の容器用アタッチメントにおいて、押え部とアーム部は合成樹脂によって一体に成形されていることを特徴とする顕微鏡観察用培養装置の容器用アタッチメントである。
【０００８】
請求項３の発明は、請求項１または２に記載した顕微鏡観察用培養装置の容器用アタッチメントにおいて、押え部は、容器の観察対象物を収容する部分に対応する部位が透明材料によって構成されていることを特徴とする顕微鏡観察用培養装置の容器用アタッチメントである。
【０００９】
請求項４の発明は、請求項１または２に記載した顕微鏡観察用培養装置の容器用アタッチメントにおいて、押え部は、容器の観察対象物を収容する部分に対応する部位に開口が形成されていることを特徴とする顕微鏡観察用培養装置の容器用アタッチメントである。
【００１０】
請求項５の発明は、請求項１から４のいずれかに記載した顕微鏡観察用培養装置の容器用アタッチメントにおいて、押え部の下面側には容器の上端部に嵌る形状の凹部が形成されていることを特徴とする顕微鏡観察用培養装置の容器用アタッチメントである。
【００１１】
請求項６の発明は、請求項１から５のいずれかに記載した顕微鏡観察用培養装置の容器用アタッチメントにおいて、押え部が平面視ほぼ真円形に形成され、アーム部が前記押え部の外周に沿って円弧状に湾曲していることを特徴とする顕微鏡観察用培養装置の容器用アタッチメントである。
請求項７の発明は、請求項１から６のいずれかの顕微鏡観察用培養装置の容器用アタッチメントを備えたことを特徴とする顕微鏡観察用培養装置である。
【発明の効果】
【００１２】
本発明の顕微鏡観察用培養装置の容器用アタッチメント、当該容器用アタッチメントを備えた顕微鏡観察用培養装置によれば、容器を収容部に固定したり、固定を解除したりする作業を極めて簡単に行うことができる。しかも、顕微鏡観察に支障をきたすのを防止するための調整作業を行う必要が全くなくなる。
【図面の簡単な説明】
【００１３】
【図１】本発明の実施の形態１に係る容器用アタッチメントを備えた顕微鏡観察用培養装置の斜視図である。
【図２】図１の容器用アタッチメントを備えた顕微鏡観察用培養装置の構成部材の斜視図である。
【図３】本発明の実施の形態１に係る容器用アタッチメントの斜視図である。
【図４】図３の容器用アタッチメントの構成部材の一つである押え部の斜視図である。
【図５】図４の容器用アタッチメントを構成する押え部の底面を上にした状態の斜視図である。
【図６】図３の容器用アタッチメントによるディッシュの固定が解除された状態の平面図である。
【図７】図６の正面図である。
【図８】図３の容器用アタッチメントによりディッシュが固定された状態の平面図である。
【図９】図８の正面図である。
【図１０】本発明の実施の形態２に係る容器用アタッチメントを備えた顕微鏡観察用培養装置の斜視図である。
【図１１】図１０の容器用アタッチメントを構成する押え部の底面が側方を向く状態の斜視図である。
【図１２】図１０の容器用アタッチメントによるディッシュの固定が解除された状態の平面図である。
【図１３】図１２の正面図である。
【図１４】図１０の容器用アタッチメントによりディッシュが固定された状態の平面図である。
【図１５】図１４の正面図である。
【発明を実施するための形態】
【００１４】
本発明の実施の形態１に係る顕微鏡観察用培養装置の容器用アタッチメント３３を図１から図９にしたがって説明する。
容器用アタッチメント３３が備えられる顕微鏡観察用培養装置１は、収容ユニット３、蓋体２３、容器用アタッチメント３３等によって構成されている。
収容ユニット３の構造について説明する。
符号５はほぼ長方形の枠状に形成された本体部を示し、この本体部５には上端側開口７と下面側開口９とがそれぞれ形成されている。図１に示すように、下面側開口９側には内方フランジ１１が形成されており、下面側開口９は上端側開口７より小さくなっている。
【００１５】
本体部５の下面側開口９の４つの隅角部に設けられた支持部１０にアダプター１３の隅角部が支持される。このアダプター１３もほぼ長方形の枠状に形成されており、その開口１５の下端側には一対の内方フランジ１７が形成されている。内方フランジ１７にはそれぞれ２つずつ、連結手段としての合計４つの永久磁石から成るマグネット１２が設けられている。マグネット１２は、その上面が内方フランジ１７の上面より僅かに低い位置となるように内方フランジ１７の凹部に収容されている。また、アダプター１３の一対の対角部分には上方に向かって突出する棒状の摘み部１４が設けられている。
【００１６】
上記した構造の収容ユニット３に相対して、その上端側開口７を閉鎖するよう蓋体２３が設けられている。
この蓋体２３はほぼ長方形を為しており、その枠体２５に長方形の透明な透光部２７が形成されている。この透光部２７にはガラス板等から成る透明なトップヒーター２９が配置され、このトップヒーター２９は透明導電膜を有している。この透明導電膜に電気コード３１を介して通電することにより発熱するようになっている。
【００１７】
容器用アタッチメント３３の構成を説明する。
符号３５は下側ベースを示し、この下側ベース３５はアダプター１３の開口１５にぴったり嵌る外形の板状を為している。図３に示すように下側ベース３５の中央には丸穴３７が形成されている。丸穴３７の周囲には凹部３９が形成されており、この凹部３９は円形部４１と、大小一対ずつのほぼ半円形の延出部４３、４５とから成る。小さい方の延出部４５の底部は円形部４１の底部より僅かに高くなっている。延出部４５の底部には永久磁石から成るマグネット４７が備えられ、このマグネット４７は延出部４５の底部より僅かに低い位置に備えられている。下側ベース３５の底面には、アダプター１３のマグネット１２に対応する永久磁石からなる図示しないマグネットが設けられている。また、下側ベース３５の一対の対角部分には上方に向かって突出する棒状の摘み部４９が設けられている。
【００１８】
符号５１は上側ベースを示し、円板部５５と一対の円弧部５７とから成る。円板部５５の中央にはディッシュＤの収容部となる浅い凹部５２が設けられ、この凹部５２の中央には丸穴５３が形成されている。
一対の円弧部５７は円板部５５の上面に設けられ、凹部５２を挟んで互いに対向して配置されている。一対の円弧部５７の時計回りの方向の端部外側に延出部５９が形成され、この延出部５９には永久磁石から成るマグネット６１が収容されている。マグネット６１は延出部５９の下面から露出し、かつ下面から僅かに高い位置に備えられている。
また、一対の円弧部５７の反時計回りの方向寄りの途中部分には、マグネット５８が収容されている。マグネット５８は一対の円弧部５７の上面から露出し、かつ上面から僅かに低い位置に備えられている。
円板部５５の底面には下側ベース３５の丸穴３７にぴったり嵌る凸部６２が形成されている。
上記下側ベース３５、上側ベース５１によってベース部が構成され、丸穴３７、５３によって透光部が構成されている。
【００１９】
符号６３は押え部を示し、この押え部６３は平面視がほぼ真円形に形成されている。図５に示すように押え部６３の底面側には浅い凹部６５が形成されており、この浅い凹部６５の内側には凹部６７が形成されている。凹部６５の中央部分に透光部となる丸穴６８が形成されている。
符号６９は一対のアーム部を示し、アーム部６９は押え部６３の側方へ突出し、かつ押え部６３の底面より下方に位置している。アーム部６９は押え部６３と共に合成樹脂によって一体に成形され、その基部を支点として弾性変形可能となっている。一対のアーム部６９が押え部６３の外周に沿って円弧状に湾曲しており、先端部の凹部に連結手段としての永久磁石から成るマグネット７１が収容されている。マグネット７１は凹部から一部が露出し、かつアーム部６９の底面より僅かに高い位置に備えられている。
【００２０】
符号７３は灌流培養を行う場合に使用するホースホルダを示し、中心部分に丸穴７５が形成されている。また、ホースホルダ７３の底面には押え部６３の丸穴６８に嵌る凸部（図示せず）が形成されている。
培養容器としてのディッシュＤは本体Ｄａと蓋Ｄｂとから成り、透明な合成樹脂によって構成されている。
【００２１】
次に容器用アタッチメント３３の使用方法を説明する。
顕微鏡観察用培養容器１は図示しない顕微鏡のステージに設置して使用し、容器用アタッチメント３３は顕微鏡観察用培養容器１に備えられる。
本体部５の支持部１０に支持されたアダプター１３の内方フランジ１７に容器用アタッチメント３３の下側ベース３５を載置すると、下側ベース３５は、その底面側に備えられたマグネットとマグネット１２の吸着によってアダプター１３に固定される。
上側ベース５１は、その凸部６２が丸穴３７に嵌り、かつ下側ベース３５の凹部３９の底部に載置される。更に、円弧部５７の延出部５９が凹部４３の延出部４５に嵌り、マグネット６１がマグネット４７に吸着する。これにより、上側ベース５１は下側ベース３５に固定される。
【００２２】
次いで、培養液と細胞等の観察対象を入れたディッシュＤの本体Ｄａを上側ベース５１の凹部５２に嵌める。そして、図６、図７に示すように押え部６３を蓋Ｄｂに被せて、凹部６５を蓋Ｄｂに嵌める。そして、ホースホルダ７３を押え部６３に設置し、ホースホルダ７３の凸部（図示せず）を丸穴６８に嵌める。
【００２３】
図６、図７に示すように一対のアーム部６９のマグネット７１と上側ベース５１のマグネット５８とが対向しない状態から、押え部６３を反時計回りの方向へ回動させる。そして、図８、図９に示すようにマグネット７１とマグネット５８が対向すると、マグネット７１とマグネット５８の吸引力によって一対のアーム部６９が弾性変形して湾曲してマグネット７１がマグネット５８に吸着する。これにより、ディッシュＤが上側ベース５１に固定される。すなわち、湾曲する一対のアーム部６９の弾性力によって押え部６３がディッシュＤを押えて、上側ベース５１に固定する。
また、押え部６３を時計回りの方向へ回動させれば、マグネット７１がマグネット５８から外れて、一対のアーム部６９は自らの弾性力によって図６、図７に示す状態に復帰し、押え部６３のディッシュＤに対する固定が解除される。
【００２４】
このように、容器用アタッチメント３３によれば、ディッシュＤを凹部５２に固定したり、固定を解除したりする作業を極めて簡単に行うことができる。
また、一対のアーム部６９はディッシュＤの側方に位置することになるので、ディッシュＤに入れられた細胞等の顕微鏡観察に支障をきたすことはなく、従来のようにディッシュの蓋の上面を板バネによって押える場合と異なり、顕微鏡観察に支障をきたすのを防止するための調整作業を行う必要が全くなくなる。
【００２５】
本発明の実施の形態２に係る顕微鏡観察用培養装置の容器用アタッチメント７５を説明する。
この容器用アタッチメント７５は実施の形態１に示した顕微鏡観察用培養装置１に備えられるので、実施の形態１で用いた符号を引用して説明する。
符号７７はベース部を示し、アダプター１３の開口１５に備えられ、内方フランジ１７に載置されマグネット１２によって吸着される。
ベース部７７には凹部７９が形成され、この凹部７９はほぼ矩形の矩形部８１、この矩形部の右寄りに形成された延出部８３とから成る。延出部８３は半円形を為しており、前後方向へ延出している。
【００２６】
矩形部８１には透光部となる矩形穴８５が形成されている。また、ベース部７７の矩形部８１を挟んで前後方向の両側部分には永久磁石から成るマグネット８７が収容され、このマグネット８７はベース部７７の上面から露出し、且つ上面から僅かに低い位置に備えられている。
ベース部７７の一対の対角部分には上方に向かって突出する棒状の摘み部８９が設けられている。
ベース部７７の底面には、アダプター１３のマグネット１２に対応する永久磁石からなる図示しないマグネットが設けられている。
【００２７】
符号９１は押え部を示し、この押え部９１は平面視がほぼ矩形に形成されている。図１１に示すように押え部９１の底面側には浅い凹部９３が形成されており、この凹部９３には矩形穴９５が形成されている。また、押え部９１の底面側には一対の凸部９７が形成されている。一対の凸部９７は凹部９３を挟んで配置されている。
符号９９は一対のアーム部を示し、アーム部９９は押え部９１の前後の側方へ突出し、かつ押え部９１の底面より下方に位置している。アーム部９９は押え部９１と共に合成樹脂によって一体に成形され、その基部を支点として弾性変形可能となっている。一対のアーム部９９は押え部９１の前後の側面に対し平行に延びており、先端部の凹部に連結手段としての永久磁石から成るマグネット１０１が収容されている。マグネット１０１は凹部から一部が露出し、かつアーム部９９の底面より僅かに高い位置に備えられている。
【００２８】
容器としてのウェルＷは本体Ｗａと蓋Ｗｂとから構成され、本体Ｗａはガラスプレートと複数室に区分けされた収容部とから成る。スライドガラスプレートＧは押え部９１の上面に載置されて穴９５を閉鎖する。
【００２９】
次に容器用アタッチメント７５の使用方法を説明する。
容器用アタッチメント７５は実施の形態１の容器用アタッチメント３３と同様に顕微鏡観察用培養容器１に備えられる。
すなわち、本体部５の支持部１０に支持されたアダプター１３の内方フランジ１７にベース部７７が載置される。そして、ベース部７７は、その底面側に備えられたマグネットとマグネット１２の吸着によってアダプター１３に固定される。
【００３０】
次いで、培養液と細胞等の観察対象を入れたウェルＷの本体Ｗａをベース部７７に設けられた凹部７９の矩形部８１に嵌める。そして、図１２、図１３に示すように押え部９１を蓋Ｗｂに被せて、凹部９３を蓋Ｗｂに嵌める。
図１４、図１５に示すようにマグネット１０１とマグネット８７とが対向すると、マグネット１０１とマグネット８７の吸引力によって一対のアーム部９９が弾性変形して湾曲してマグネット１０１がマグネット８７に吸着する。これにより、ウェルＷがベース部７７に固定される。すなわち、湾曲する一対のアーム部９９の弾性力によって押え部９１がウェルＷを押えて、ベース部７７に固定する。
また、押え部９１を少し持ち上げれば、マグネット１０１がマグネット８７から外れて、一対のアーム部９９は自らの弾性力によって図１２、図１３に示す状態に復帰し、押え部９１のウェルＷに対する固定が解除される。
【００３１】
このように、容器用アタッチメント７５によれば、ウェルＷを凹部７９に固定したり、固定を解除したりする作業を極めて簡単に行うことができる。
また、一対のアーム部９９はウェルＷの側方に位置することになるので、ウェルＷに入れられた細胞等の顕微鏡観察に支障をきたすことなく、従来のようにウェルＷの蓋Ｗｂの上面を板バネによって押える場合と異なり、顕微鏡観察に支障をきたすのを防止するための調整作業を行う必要が全くなくなる。
【００３２】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では一対のアーム部を備えた容器用アタッチメントを示したが、本発明はこれに限定されず、３つ以上のアーム部を備えてもよい。
また、上記実施の形態ではディッシュ、ウェルは蓋を備え、この蓋の上面に押え部を備えたが、本発明はこれに限定されず、蓋を備えない容器に適用することも可能である。この場合には押え部を本体の上面に備えるようにする。
【産業上の利用可能性】
【００３３】
本発明の顕微鏡観察用培養装置の容器用アタッチメント、当該容器用アタッチメントを備えた顕微鏡観察用培養装置は、理化学機器製造業において利用可能性を有する。
【符号の説明】
【００３４】
１…顕微鏡観察用培養装置    ３…収容ユニット        ５…本体部
７…上端側開口              ９…下面側開口        １０…支持部
１１…内方フランジ          １２…マグネット        １３…アダプター
１４…摘み部                １５…開口              １７…内方フランジ
２１…水槽                  ２３…蓋体              ２５…（蓋体の）枠体
２７…（蓋体の）透光部      ２９…トップヒーター    ３１…電気コード
３３…容器用アタッチメント  ３５…下側ベース        ３７…丸穴
３９…凹部                  ４１…（凹部の）円形部
４３…（凹部の）延出部      ４５…（凹部の）延出部  ４７…マグネット
４９…摘み部                ５１…上側ベース        ５２…凹部
５３…丸穴                  ５５…円板部            ５７…円弧部
５９…延出部                ６１…マグネット        ６３…押え部
６５…凹部                  ６７…凹部              ６８…丸穴
６９…アーム部              ７１…マグネット        ７３…ホースホルダ
Ｄ…ディッシュ            Ｄａ…本体              Ｄｂ…蓋
７５…容器用アタッチメント  ７７…ベース部          ７９…凹部
８１…矩形部                ８３…延出部            ８５…矩形穴
８７…マグネット            ８９…摘み部            ９１…押え部
９３…凹部                  ９７…凸部              ９９…アーム部
１０１…マグネット
Ｇ…スライドガラスプレート  Ｗ…ウェル            Ｗａ…本体
Ｗｂ…蓋
【図１】
0006580474.tif 000002
【図２】
0006580474.tif 000003
【図３】
0006580474.tif 000004
【図４】
0006580474.tif 000005
【図５】
0006580474.tif 000006
【図６】
0006580474.tif 000007
【図７】
0006580474.tif 000008
【図８】
0006580474.tif 000009
【図９】
0006580474.tif 000010
【図１０】
0006580474.tif 000011
【図１１】
0006580474.tif 000012
【図１２】
0006580474.tif 000013
【図１３】
0006580474.tif 000014
【図１４】
0006580474.tif 000015
【図１５】
0006580474.tif 000016